(57)【要約】      （修正有）【課題】電気ケーブルを挟持緊締できるだけでなく、電気ケーブルに対する防水及び固定保護の作用を具備し、特に外力例えば悪天候、台風等の風或いは連続急速運転中の機械の電気ケーブルの往復による大幅な揺動による電気ケーブル接続点に発生する往復曲折動作に対して有効な固定と保護をする電気ケーブル固定ヘッドの提供。【解決手段】コネクタ１、該コネクタと組み合わされる緊締部品２、該コネクタと緊締部品の間に配置された挟持部品３、該挟持部品内部に配置されたブシュ４で構成され、該ブシュの被覆部４２が所定長さ延伸され、組立時に挟持部品３ａと緊締部品２外部に延伸され、動態作用下でブシュがトルクに耐え、被覆部内部に階段状或いは漸縮状の結束部４３が設けられ、切断されて異なる線径の電気ケーブルに適応可能とされ、多段式防水と電気ケーブル固定保護の作用を達成する。【選択図】図４
0003112804.tif 000002
【実用新案登録請求の範囲】
【請求項１】
コネクタ、該コネクタと組み合わされる緊締部品、該コネクタと緊締部品の間に配置された挟持部品、該挟持部品内部に配置されたブシュで構成された電気ケーブル固定ヘッドにおいて、
該ブシュが中空体とされて前端に上述の挟持部品の開口部分に当接する当接部を具え、該当接部に組立時に挟持部品及び緊締部品外部に延伸される被覆部が接続され、ケーブルの防水及び固定保護を達成し、外力例えば悪天候、台風の風或いは連続急速運転中の機械電気ケーブルの往復運転が電気ケーブルの接続点部分に発生させる往復曲折動作に対して保護を提供することを特徴とする、電気ケーブル固定ヘッド。
【請求項２】
請求項１記載の電気ケーブル固定ヘッドにおいて、ブシュがゴム材料で形成されたことを特徴とする、電気ケーブル固定ヘッド。
【請求項３】
請求項１記載の電気ケーブル固定ヘッドにおいて、被覆部内部に結束部が包含されることを特徴とする、電気ケーブル固定ヘッド。
【請求項４】
請求項３記載の電気ケーブル固定ヘッドにおいて、結束部の内壁面が階段状に形成されたことを特徴とする、電気ケーブル固定ヘッド。
【請求項５】
請求項３記載の電気ケーブル固定ヘッドにおいて、結束部の内壁面が漸縮状に形成されたことを特徴とする、電気ケーブル固定ヘッド。
【請求項６】
請求項３記載の電気ケーブル固定ヘッドにおいて、結束部が異なる線径の電気ケーブルに合わせて裁断されて使用されることを特徴とする、電気ケーブル固定ヘッド。
【請求項７】
請求項１記載の電気ケーブル固定ヘッドにおいて、ブシュが凹部を具えたことを特徴とする、電気ケーブル固定ヘッド。
【考案の詳細な説明】
【技術分野】
【０００１】
本考案は電気ケーブル固定ヘッドに係り、特に電気ケーブルを固定し、ならびに電気ケーブルの防水と固定保護の機能を有する固定ヘッドであって、外力例えば悪天候、台風等の風或いは連続急速作業運転中の機械の電気ケーブル往復運転に対して、電気ケーブルに、接続部分に発生する往復曲折動作に対する保護を提唱する、電気ケーブル固定ヘッドに関する。
【背景技術】
【０００２】
周知のとおり、現在市場で使用されている電気ケーブル固定ヘッドは、図１に示されるようであり、この電気ケーブル固定ヘッドはコネクタ１ａ、該コネクタ１ａと組み合わされる緊締部品２ａ、該コネクタ１ａと緊締部品２ａの間に配置された挟持部品３ａ、該挟持部品３ａ内部に配置されたブシュ４ａで構成されている。
【０００３】
使用時には、ブシュ４ａが挟持部品３ａ内部に置かれ、この時、電気ケーブル５ａは順に緊締部品２ａ、ブシュ４ａ及びコネクタ１ａに通された後、緊締部品２ａ内部の嵌合部２１ａとコネクタ本体１１ａの接合部１４ａが螺合される時、該緊締部品２ａ内部末端の漸縮内壁２２ａが挟持部品３ａの挟持片３１ａを押圧し、これにより挟持片３１ａ内径が漸縮させられた後、挟持片３１ａの圧接部３２ａが被覆部４２ａに圧接し、これにより電気ケーブル５ａの緊締が達成される。前述のブシュ４ａの被覆部４２ａは緊締部品２ａの外部に未延伸であるため、外力例えば悪天候、台風の風或いは連続急速運転中の機械電気ケーブルの往復運転に対して、ねじれに耐えられず、また、電気ケーブルの接続部分に発生する往復曲折動作に対して防水と固定保護作用を提供しにくく、また異なる線径の電気ケーブル５ａの使用には適合不能であった。
【０００４】
このほか、別の電気ケーブル固定ヘッドの構造があり、それは図２に示される。その図１との違いは緊締部品２ａの末端に螺旋状を呈して電気ケーブル５ａを被覆する被覆部２０ａが延設されていることである。しかし、この被覆部２０ａは電気ケーブル５ａを固定保護できるものの、この被覆部２０ａは開口状態を呈し、防水作用を具備せず、外力作用を受けて揺動する時、螺旋円片が曲折時に相互に接触し、揺動幅が非常に小さくねじれに耐えられず、強風或いは急速機械運動によりもたらされる幅の大きな揺動に耐えられない。別に、金属製の電気ケーブル固定ヘッドはこのような螺旋状の延伸部被覆部を製造できない。
【考案の開示】
【考案が解決しようとする課題】
【０００５】
本考案の主要な目的は、上述の周知の技術の欠点を解決し、欠点の存在を回避することにあり、本考案は一種の電気ケーブル固定ヘッドを新たな設計を提供し、電気ケーブル固定ヘッドを、電気ケーブルを挟持緊締できるだけでなく、電気ケーブルに対する防水及び固定保護の作用を具備し、特に外力例えば悪天候、台風等の風或いは連続急速運転中の機械の電気ケーブルの往復による大幅な揺動による電気ケーブル接続点に発生する往復曲折動作に対して有効な固定と保護を提供することを目的とする。
【０００６】
上述の目的を達成するため、本考案は従来の電気ケーブル固定ヘッドに使用されているブシュの被覆ブシュを所定長さ延伸し、組立時に挟持部品と緊締部品外部に延伸可能とし、これにより防水とねじれに耐える電気ケーブル固定保護の作用を達成する。また、該被覆部内部に階段状或いは漸縮状の結束部が設けられ、裁断して異なる線径の電気ケーブルに適応して多段式防水を形成し、挟持部品と緊締部品により電気ケーブルを挟持緊締の後、固定保護効果が極めて良好で滑動しにくいものとされる。
【課題を解決するための手段】
【０００７】
請求項１の考案は、コネクタ、該コネクタと組み合わされる緊締部品、該コネクタと緊締部品の間に配置された挟持部品、該挟持部品内部に配置されたブシュで構成された電気ケーブル固定ヘッドにおいて、
該ブシュが中空体とされて前端に上述の挟持部品の開口部分に当接する当接部を具え、該当接部に組立時に挟持部品及び緊締部品外部に延伸される被覆部が接続され、ケーブルの防水及び固定保護を達成し、外力例えば悪天候、台風の風或いは連続急速運転中の機械電気ケーブルの往復運転が電気ケーブルの接続点部分に発生させる往復曲折動作に対して保護を提供することを特徴とする、電気ケーブル固定ヘッドとしている。
請求項２の考案は、請求項１記載の電気ケーブル固定ヘッドにおいて、ブシュがゴム材料で形成されたことを特徴とする、電気ケーブル固定ヘッドとしている。
請求項３の考案は、請求項１記載の電気ケーブル固定ヘッドにおいて、被覆部内部に結束部が包含されることを特徴とする、電気ケーブル固定ヘッドとしている。
請求項４の考案は、請求項３記載の電気ケーブル固定ヘッドにおいて、結束部の内壁面が階段状に形成されたことを特徴とする、電気ケーブル固定ヘッドとしている。
請求項５の考案は、請求項３記載の電気ケーブル固定ヘッドにおいて、結束部の内壁面が漸縮状に形成されたことを特徴とする、電気ケーブル固定ヘッドとしている。
請求項６の考案は、請求項３記載の電気ケーブル固定ヘッドにおいて、結束部が異なる線径の電気ケーブルに合わせて裁断されて使用されることを特徴とする、電気ケーブル固定ヘッドとしている。
請求項７の考案は、請求項１記載の電気ケーブル固定ヘッドにおいて、ブシュが凹部を具えたことを特徴とする、電気ケーブル固定ヘッドとしている。
【考案の効果】
【０００８】
本考案の電気ケーブル固定ヘッドは、コネクタ、該コネクタと組み合わされる緊締部品、該コネクタと緊締部品の間に配置された挟持部品、該挟持部品内部に配置されたブシュで構成され、該ブシュの被覆部が所定長さ延伸され、組立時に挟持部品と緊締部品外部に延伸され、動態作用下でブシュがトルクに耐え、被覆部内部に階段状或いは漸縮状の結束部が設けられ、切断されて異なる線径の電気ケーブルに適応可能とされ、多段式防水と電気ケーブル固定保護の作用を達成する。
【考案を実施するための最良の形態】
【０００９】
図３、４、５、６に示されるように、本考案の電気ケーブル固定ヘッドは、コネクタ１、該コネクタ１と組み合わされる緊締部品２、該コネクタ１と緊締部品２の間に配置された挟持部品３、該挟持部品３内部に配置されたブシュ４を包含し、以上の部品が組み合わされて電気ケーブル５の防水及び固定保護機能を具えた固定ヘッドが構成されている。
【００１０】
上述のコネクタ１は中空本体１１を具え、該本体１１にストッパ部１２が設けられ、該ストッパ部１２の前後の本体１１にネジを具えた接合部１３、１４を具え、前述の接合部１３にワッシャ１５及びナット形態の螺合部品１６が接合され、前述の接合部１３、ワッシャ１５及び螺合部品１６によりコネクタ１の本体１１が隔板或いは壁の固定場所に固定可能とされる。
【００１１】
該緊締部品２は中空体とされ、その内部前端にネジ面を呈する嵌合部２１が設けられて前述の接合部１４と結合され、緊締部品２内部末端に漸縮内壁２２が設けられている（図８）。
【００１２】
該挟持部品３は中空体とされ、複数の弾性状態の挟持片３１を具え、各挟持片３１に圧接部３２（図９）が設けられ、この挟持片３１が緊締部品２内部の漸縮内壁２２の押圧を受けた後、挟持片３１の圧接部３２がブシュ４に圧接する。
【００１３】
該ブシュ４はゴム材料で形成された中空体とされるのがよく、前端に上述の挟持部品３開口部分に当接する当接部４１が設けられ、該当接部４１に組立時に緊締部品２外部に延伸される被覆部４２が接続され、被覆部４２内部壁面は階段状（図７）或いは漸縮状を呈する結束部４３とされ、異なる線径の電気ケーブル５に合わせて裁断して使用される。
【００１４】
上述のブシュ４の被覆部４２と当接部４１の間の直径の違いにより形成される凹部の好ましいものは図中、符号４４或いは４５で示されるようであり（図４、５）、これにより更に挟持部品に圧接、固着される。
【００１５】
図７から図９は図６の断面動作を示す。図示されるように、使用時には、ブシュ４が挟持部品３内部に置かれ、この時、ブシュ４の被覆部４２が挟持部品３の外部に延伸される。この時、さらに電気ケーブル５が順に緊締部品２、ブシュ４及びコネクタ１に通された後、緊締部品２内部の嵌合部２１とコネクタ１本体１１の接合部１４が螺合される時、該緊締部品２内部末端の漸縮内壁２２が挟持部品３の挟持片３１を押圧し、挟持片３１内径を漸縮させた後、挟持片３１の圧接部３２をブシュ４の被覆部４２に圧接させるか、或いは圧接部を被覆部４２の包含する凹部４４或いは４５に圧接させ、こうして電気ケーブル５の挟持固定効果を達成する。
【００１６】
組立後、ブシュ４の被覆部４２は緊締部品２外部に延伸され、防水保護作用のほか、電気ケーブル５の固定の作用を有し、引っ張り或いは折り曲げによる電気ケーブル５の損壊を防止し、また即ち本考案は動態時にねじれに耐え、外力例えば悪天候、台風の風或いは連続急速運転中の機械電気ケーブルの往復運転時に、電気ケーブルの接続点部分に発生する往復曲折動作に対して保護を提供する。
【００１７】
さらに、本考案の被覆部４２内部の結束部４３内部壁面は階段状或いは漸縮状を呈する時、施行者或いは使用者は電気ケーブル５の線径に合わせて結束部４３を裁断し、異なる線径の電気ケーブルに合わせることができ、こうして多段式防水及び電気ケーブル固定の目的を達成する。
【００１８】
以上の実施例は本考案の範囲を限定するものではなく、本考案に基づきなしうる細部の修飾或いは改変は、いずれも本考案の請求範囲に属するものとする。
【図面の簡単な説明】
【００１９】
【図１】周知の電気ケーブル固定ヘッドの分解図である。
【図２】別の周知の電気ケーブル固定ヘッドの分解図である。
【図３】本考案の電気ケーブル固定ヘッドの分解図である。
【図４】本考案の別の電気ケーブル固定ヘッドの分解図である。
【図５】本考案の更に別の電気ケーブル固定ヘッドの分解図である。
【図６】本考案の電気ケーブル固定ヘッドの組合せ外観図である。
【図７】本考案の電気ケーブル固定ヘッドの断面動作表示図である。
【図８】本考案の電気ケーブル固定ヘッドの断面動作表示図である。
【図９】本考案の電気ケーブル固定ヘッドの断面動作表示図である。
【符号の説明】
【００２０】
１ａ  コネクタ              ２ａ  緊締部品
３ａ  挟持部品              ４ａ  ブシュ
５ａ  電気ケーブル          ２１ａ  嵌合部
１１ａ  本体                １４ａ  接合部
１５ａ  ワッシャ            １６ａ  螺合部品
２２ａ  漸縮内壁            ３１ａ  挟持片
３２ａ  圧接部              ４２ａ  被覆部
４３ａ  凹部                ２０ａ  被覆部
１  コネクタ              ２  緊締部品
３  挟持部品              ４  ブシュ
５  電気ケーブル          １１本体
１２  ストッパ部          １３、１４  接合部
１５  ワッシャ            １６  螺合部品
２１  嵌合部              ２２  漸縮内壁
３１  挟持片              ３２  圧接部
４１  当接部              ４２  被覆部
４３  結束部              ４４  凹部
４５  凹部
【図１】
0003112804.tif 000003
【図２】
0003112804.tif 000004
【図３】
0003112804.tif 000005
【図４】
0003112804.tif 000006
【図５】
0003112804.tif 000007
【図６】
0003112804.tif 000008
【図７】
0003112804.tif 000009
【図８】
0003112804.tif 000010
【図９】
0003112804.tif 000011